(57)【要約】個人やグループが、簡単に自分の考えに沿った仮想店舗を開設できる仮想店舗提供システムを提供する。仮想店舗提供システム１は、各会員１３に対し仮想店舗のＷｅｂアドレスを付与するアドレス付与部１０１と、各会員１３が、他人仮想店舗１９の他人販売アイテム２０の中から選択した他人販売アイテム２０をハイパーリンク付きの会員アイテム２４として会員仮想店舗２３に掲載するアドレス付与部１０１と、各会員アイテム２４に対する閲覧者１７によるハイパーリンクの操作履歴を蓄積するＤ／Ｂ１０と、操作履歴に基づいて各会員１３に特典を付与する特典付与部１０３と、を備える。
2020053961.tif 000002
【特許請求の範囲】
【請求項１】
各会員に対し該会員の仮想店舗のＷｅｂアドレスを付与するアドレス付与部と、
各会員が、インターネット上の他人仮想店舗で掲載されて販売されている他人販売アイテムのうちから選択し、該選択した他人販売アイテムへのハイパーリンク付きの会員アイテムとして該会員の前記仮想店舗に掲載する会員アイテム掲載部と、
各会員の会員アイテムごとに、閲覧者によるハイパーリンクの操作履歴を蓄積する操作履歴データベースと、
前記操作履歴データベースにおける前記操作履歴に基づいて各会員に特典を付与する特典付与部と、
を備えることを特徴とする仮想店舗提供システム。
【請求項２】
請求項１に記載の仮想店舗提供システムにおいて、
各会員の前記仮想店舗の前記会員アイテムがどのセグメントに特化されているのかを示すセグメント情報を収集するセグメント情報収集部と、
前記セグメント情報収集部が収集した前記セグメント情報を所定の要求者からの要求に応じて提供するセグメント情報提供部と、
を備えることを特徴とする仮想店舗提供システム。
【請求項３】
請求項２に記載の仮想店舗提供システムにおいて、
前記セグメント情報は、前記会員に対し、セグメント調査アンケートを実施し、該セグメント調査アンケートに対して収集した回答に基づいて生成されたものであることを特徴とする仮想店舗提供システム。
【請求項４】
請求項２又は３に記載の仮想店舗提供システムにおいて、
前記セグメント情報は、複数の前記仮想店舗間で重複する前記会員アイテムの重複数を収集し、収集した前記重複数に基づいて生成されたものであることを特徴とする仮想店舗提供システム。
【請求項５】
請求項４に記載の仮想店舗提供システムにおいて、
前記重複数は、所定の複数の前記会員アイテムの組合せについての重複数であることを特徴とする仮想店舗提供システム。
【請求項６】
請求項４又は５に記載の仮想店舗提供システムにおいて、
前記セグメント情報は、前記重複数が、重複している前記会員アイテムに対する前記操作履歴に基づいて重み付けされた情報を含むことを特徴とする仮想店舗提供システム。
【請求項７】
請求項２〜６のいずれか１項に記載の仮想店舗提供システムおいて、
前記所定の要求者は、前記閲覧者を含むことを特徴とする仮想店舗提供システム。
【請求項８】
請求項２〜７のいずれか１項に記載の仮想店舗提供システムにおいて、
前記所定の要求者は、前記会員を含むことを特徴とする仮想店舗提供システム。
【請求項９】
請求項１〜８のいずれか１項に記載の仮想店舗提供システムにおいて、
各会員の会員情報を蓄積する会員情報データベースと、
前記他人販売アイテムを販売している他人に、該他人販売アイテムを前記会員アイテムとして選択した前記会員について前記会員情報データベースに蓄積されている前記会員情報を含むリンクアイテム情報を提供するリンクアイテム情報提供部と、
を備えることを特徴とする仮想店舗提供システム。
【請求項１０】
請求項９に記載の仮想店舗提供システムにおいて、
各会員が前記他人販売アイテムを自分の前記会員アイテムとして選択したときに、該会員に対してアイテム選択アンケートを実施し、該アイテム選択アンケートに対する回答に係るアイテム選択情報を蓄積するアイテム選択情報データベースを備え、
前記リンクアイテム情報提供部は、前記リンクアイテム情報に、該他人の前記他人販売アイテムに係る前記アイテム選択情報を含めることを特徴とする仮想店舗提供システム。
【請求項１１】
請求項９又は１０に記載の仮想店舗提供システムにおいて、
前記リンクアイテム情報は、該リンクアイテム情報に係る前記他人販売アイテムにハイパーリンク付けされている前記会員アイテムに対する前記操作履歴に係る情報を含むことを特徴とする仮想店舗提供システム。
【発明の詳細な説明】
【技術分野】
【０００１】
本発明は、会員にインターネット上の仮想店舗を提供する仮想店舗提供システムに関する。
【背景技術】
【０００２】
現在、インターネットのユーザは、ポータルサイトを経由して、各種情報の取得や商品の購入等を行うことが一般的となっている。例えば、特許文献１は、ユーザが自分専用のポータルサイトを構築できるポータルサイト提供システムを開示する。該システムによれば、各ユーザは、自分の個人情報（例：会員情報）を入力することにより、ポータルサーバにユーザ登録する。各ユーザは、登録後は、ブラウザを介してポータルサーバからポータル設計ページのコンテンツデータを受領し、ポータル設計ページを使って、自分専用のポータルサイトを構築する。【０００３】
ポータル設計ページには、「特定のコンテンツを指定」や「外部コンテンツ指定」の設計項目が含まれている。「特定のコンテンツを指定」では、コンテンツの画像等をドラッグ・アンド・ドロップで自分のポータルサイトにハイパーリンク付きで貼り付けることができる。また、「外部コンテンツ指定」では、特定のコンテンツ以外でネット上に存在する画像等を、自分のポータルサイトのテキスト等からハイパーリンクさせることができる。【０００４】
特許文献２は、Ｗｅｂページの訪問者（閲覧者）に対し、Ｗｅｂページの表示態様を各訪問者の関心（例：運動活動や閲覧情報の関心）に応じて変更することができるユーザインターフェースを開示する。すなわち、該ユーザインターフェースは、訪問者の関心度を分析し、同じＷｅｂページ内において関心度の高い情報ほど、例えば表示サイズを大きく強調して表示する。【０００５】
特許文献３は、第１のコンピュータシステムが、第２のコンピュータシステム向けにソフトウェアコンポーネント（ウィジェット）を提供するシステムを開示する。ユーザは、該ソフトウェアコンポーネントを第２のコンピュータシステムからダウンロードし、自分のユーザインターフェースに組み込む。ユーザは、自分のユーザインターフェースにおいて、該ソフトウェアコンポーネントを起動させて、検索して見付けたネット上のメディアコンテンツアイテムをハイパーリンク付きで自分のユーザインターフェースのプレイリストに適宜追加することができる。
【先行技術文献】
【特許文献】
【０００６】
【特許文献１】特開２００６−３１８１８０号公報
【特許文献２】特開２０１３−５４１０６８号公報
【特許文献３】特開２０１６−５２９５８３号公報
【発明の概要】
【発明が解決しようとする課題】
【０００７】
しかしながら、一般のユーザが、商品を自前で揃えて、店舗を開設するのは、ネット上の仮想店舗であっても、大きな労力、資金及びスキルが必要となる。また、赤字経営のリスクも生じる。【０００８】
一方、それ程、利益は大きくなくて良いから、情報発信をしつつ、サイドビジネスとして気軽な感覚で商売をしてみることができたらと、考える人は多い。その場合、ネットワーク上の仮想店舗は、どこからでも簡単にアクセスできるので、似たような仮想店舗は、自然淘汰され易い。【０００９】
本発明の目的は、このような事情に鑑みてなされたものであり、情報発信をしたい個人やグループが、資金やスキルがなくても、自分の考えに沿った仮想店舗を気軽に開設して、多少ながらも収益が期待できるようにした仮想店舗提供システムを提供することである。
【課題を解決するための部】
【００１０】
本発明の仮想店舗提供システムは、
各会員に対し該会員の仮想店舗のＷｅｂアドレスを付与するアドレス付与部と、
各会員が、インターネット上の他人仮想店舗で掲載されて販売されている他人販売アイテムのうちから選択し、該選択した他人販売アイテムへのハイパーリンク付きの会員アイテムとして該会員の前記仮想店舗に掲載する会員アイテム掲載部と、
各会員の会員アイテムごとに、閲覧者によるハイパーリンクの操作履歴を蓄積する操作履歴データベースと、
前記操作履歴データベースにおける前記操作履歴に基づいて各会員に特典を付与する特典付与部と、
を備えることを特徴とする。
【００１１】
本発明によれば、各会員は、他人の販売アイテムをハイパーリンク付きで自分の仮想店舗で掲載するだけで、商売をすることができる。したがって、この結果、情報拡散をしたい個人やグループが、資金やスキルがなくても、自分の考えに沿った仮想店舗を気軽に開設して、かつ多少ながらも収益（特典）を取得することが期待できる。
【００１２】
本発明の仮想店舗提供システムは、好ましくは、
各会員の前記仮想店舗の前記会員アイテムがどのセグメントに特化されているのかを示すセグメント情報を収集するセグメント情報収集部と、
前記セグメント情報収集部が収集した前記セグメント情報を所定の要求者からの要求に応じて提供するセグメント情報提供部と、
を備える。
【００１３】
この構成によれば、仮想店舗提供システムは、セグメント情報を有効利用することができる．
【００１４】
本発明の仮想店舗提供システムにおいて、好ましくは、
前記セグメント情報は、前記会員に対し、セグメント調査アンケートを実施し、該セグメント調査アンケートに対して収集した回答に基づいて生成されたものである。
【００１５】
この構成によれば、適切なセグメント情報を効率良く収集して生成することができる。
【００１６】
本発明の仮想店舗提供システムにおいて、好ましくは、
前記セグメント情報は、複数の前記仮想店舗間で重複する前記会員アイテムの重複数を収集し、収集した前記重複数に基づいて生成されたものである。
【００１７】
この構成によれば、複数の仮想店舗間で重複する会員アイテムに基づくセグメント情報により仮想店舗間のセグメントの類似性を判断することができる。
【００１８】
本発明の仮想店舗提供システムにおいて、好ましくは、
前記重複数は、所定の複数の前記会員アイテムの組合せについての重複数である。
【００１９】
この構成によれば、各会員アイテムの重複数でなく、複数の会員アイテムの組合せの重複数に基づくセグメント情報により仮想店舗間のセグメントの類似性及び相違性を一層的確に判断することができる。
【００２０】
本発明の仮想店舗提供システムにおいて、好ましくは、
前記セグメント情報は、前記重複数が、重複している前記会員アイテムに対する前記操作履歴に基づいて重み付けされた情報を含む。
【００２１】
この構成によれば、セグメント情報が複数の仮想店舗間での会員アイテムの単なる重複数でなく、重複数を、該重複数に係る会員アイテムについての操作履歴（例：操作回数）基づいて重み付けされた情報を含む。これにより、仮想店舗間のセグメントの類似性及び相違性が、一層明確になる。
【００２２】
本発明の仮想店舗提供システムにおいて、好ましくは、
前記所定の要求者は、前記閲覧者を含む。
【００２３】
この構成によれば、閲覧者がセグメント情報に基づいて所望の仮想店舗を円滑に見つけることができる。
【００２４】
本発明の仮想店舗提供システムにおいて、好ましくは、
前記所定の要求者は、前記会員を含む。
【００２５】
この構成によれば、会員は、セグメント情報を知得して、自分の仮想店舗のセグメントを改善することができる。
【００２６】
本発明の仮想店舗提供システムは、好ましくは、
各会員の会員情報を蓄積する会員情報データベースと、
前記他人販売アイテムを販売している他人に、該他人販売アイテムを前記会員アイテムとして選択した前記会員について前記会員情報データベースに蓄積されている前記会員情報を含むリンクアイテム情報を提供するリンクアイテム情報提供部と、
を備える。
【００２７】
この構成によれば、他人仮想店舗の他人は、会員情報を含むリンクアイテム情報に基づいて自分の販売アイテムがどのような人に関心をもたれているかを知得し、販売アイテムの販売戦略や新規販売アイテムの開発戦略に役立てることができる。さらに、個人情報の入力に手間暇を嫌う閲覧者からではなく、仮想店舗の開設との交換条件で会員情報を提供した会員の会員情報になっているので、該他人販売アイテムに関心をもつ人の情報を円滑に入手することができる。
【００２８】
本発明の仮想店舗提供システムは、好ましくは、
各会員が前記他人販売アイテムを自分の前記会員アイテムとして選択したときに、該会員に対してアイテム選択アンケートを実施し、該アイテム選択アンケートに対する回答に係るアイテム選択情報を蓄積するアイテム選択情報データベースを備え、
前記リンクアイテム情報提供部は、前記リンクアイテム情報に、該他人の前記他人販売アイテムに係る前記アイテム選択情報を含める。
【００２９】
この構成によれば、他人販売店舗の他人は、リンクアイテム情報に含まれているアイテム選択情報から自分の販売アイテムが選ばれている理由を円滑に知得することができる。また、アイテム選択情報は、会員がアイテム選択アンケートに対して回答した情報であるので、円滑に収集することができる。
【００３０】
本発明の仮想店舗提供システムにおいて、好ましくは、
前記リンクアイテム情報は、該リンクアイテム情報に係る前記他人販売アイテムにハイパーリンク付けされている前記会員アイテムに対する前記操作履歴に係る情報を含む。
【００３１】
この構成によれば、他人は、自分の販売するアイテムとしての他人販売アイテムが、どのような会員情報の会員の会員アイテムを経由して閲覧されるかを、リンクアイテム情報内の操作履歴（例：操作回数）に基づいて知得することができる。
【図面の簡単な説明】
【００３２】
【図１】仮想店舗提供システムが適用されるネット環境を示す図。
【図２】ネット環境における仮想店舗提供システムの機能ブロックを詳細に示す図。
【図３】仮想店舗提供システムによる入会処理のフローチャート。
【図４】各会員が仮想店舗提供システムから提供されたアプリを使って、自分の会員仮想店舗に掲載する会員アイテムを選択する作業についての説明図。
【図５】仮想店舗提供システムのポータルサイトの一例を示す図。
【図６】閲覧者が検索範囲絞込みボタンで所望の会員仮想店舗を検索しようとするときに利用されるブラウザ画面を示す図。
【図７】会員仮想店舗のＷｅｂ頁の一例を示す図。
【図８】セグメント情報に含まれる会員アイテムの重複数についての説明図。
【図９】セグメント情報のレーダチャート。
【図１０】リンクアイテム情報提供部が他人仮想店舗の他人に提供するリンクアイテム情報の説明図。
【発明を実施するための形態】
【００３３】
［システム全体］
図１は、仮想店舗提供システム１が適用されるネット環境を示す図である。インターネット４は、セグメント特化サーバ５、広告代理店サーバ８、Ｄ／Ｂ（データベース）１０、複数の会員１３、複数の閲覧者１７及び複数の他人仮想店舗１９を相互に接続している。厳密には、各会員１３及び各閲覧者１７は、自分の又は一時借りの情報機器を介してインターネット４に接続される。
【００３４】
Ｄ／Ｂ１０は、操作履歴データベース、会員情報データベース及びアイテム選択情報データベースを含む。各会員１３及び各閲覧者１７が使用する情報機器は、例えば、スマートフォン、タブレット又はパソコンである。他人仮想店舗１９は、典型的には、インターネット４に接続されているサーバ内に構築される。
【００３５】
仮想店舗提供システム１は、インターネット４に接続されているセグメント特化サーバ５内に実装されているソフトウェアと、Ｄ／Ｂ１０とを含む。Ｄ／Ｂ１０は、セグメント特化サーバ５に、インターネット４を介して接続されることなく、イントラネット（図示せず）を介して接続されていてもよい。
【００３６】
各会員１３は、仮想店舗提供システム１により構築される会員仮想店舗２３を専用に有している。各会員仮想店舗２３は、共通のルートドメインに属して相互に識別可能であるサブドメインを付与される。会員仮想店舗２３には、各会員１３が他人販売アイテム２０の内から選択した会員アイテム２４が選択対象の他人販売アイテム２０にハイパーリンク付けで掲載される。
【００３７】
複数の他人仮想店舗１９は、インターネット４に接続され、商品及び／又はサービスとしての他人販売アイテム２０を画像やテキスト等によりにより自分のＷｅｂ頁に掲載し、販売している。各閲覧者１７は、自分の情報機器から他人仮想店舗１９に直接アクセスすることができるとともに、セグメント特化サーバ５の会員仮想店舗２３の会員アイテム２４のハイパーリンクを辿って、各他人仮想店舗１９にアクセスすることもできる。
【００３８】
図２は、ネット環境における仮想店舗提供システム１の機能ブロックの詳細を示す図である。図２では、図示の簡略化のために、会員１３、閲覧者１７及び他人仮想店舗１９は、それぞれ１つずつしか図示していない。
【００３９】
仮想店舗提供システム１は、アドレス付与部１０１、会員アイテム掲載部１０２、特典付与部１０３、セグメント情報収集部１０４、セグメント情報提供部１０５、及びリンクアイテム情報提供部１０６を備える。セグメント特化サーバ５は、サーバとして周知の内部構造（図示せず）を有している。該内部構造には、少なくとも、ＣＰＵ、ＲＡＭ、ＲＯＭ、入出力Ｉ／Ｆ及びそれらを接続するバスと共に、ＯＳや各種アプリケーションプログラムをストアするハードディスクが含まれる。
【００４０】
［入会処理］
図３は、仮想店舗提供システム１による入会処理のフローチャートである。ＳＴＥＰ２０１では、アドレス付与部１０１は、入会希望者の情報機器からの入会申込を受付ける。入会希望者は、入会を許可されると、会員１３となる。仮想店舗提供システム１への入会希望者からのアクセスは、入会希望者の情報機器におけるブラウザで仮想店舗提供システム１の入会受付のＷｅｂ頁を指定して、ブラウザ上で行われる。
【００４１】
ＳＴＥＰ２０２では、アドレス付与部１０１は、入会希望者に入会審査情報を入力させる。該入会審査情報には、具体的には、性別、年齢、住所、電話番号、職業、学歴、収入、家族構成、趣味、銀行口座等の個人情報の一式が含まれる。
【００４２】
ＳＴＥＰ２０３では、アドレス付与部１０１は、入会審査情報に基づいて入会希望者の入会審査を行う。アドレス付与部１０１は、入会審査の結果、許可するときは、処理をＳＴＥＰ２０４に進ませ、拒否する時は入会処理を終了する。
【００４３】
ＳＴＥＰ２０４では、アドレス付与部１０１は、会員１３に専用のサブドメインを付与する。
【００４４】
ＳＴＥＰ２０５では、アドレス付与部１０１は、会員情報（前述の個人情報及びサブドメインを含む。）をＤ／Ｂ１０に登録する。これにより、Ｄ／Ｂ１０には、会員１３の増大に伴い、会員情報が順次蓄積されていく。
【００４５】
なお、会員１３は、入会後、例えば住所や電話番号の変更等に伴い会員情報を適宜変更可能になっている。また、この例では、会員情報の収集を、会員１３の入会時に実施するが、入会時は、入会審査に必要な情報のみに留め、その他の会員情報は、入会後の所定の時期に行うこともできる。
【００４６】
ＳＴＥＰ２０６では、セグメント情報収集部１０４は、会員１３の会員仮想店舗２３がどのセグメントに属しているのかを示すセグメント情報を収集する。
【００４７】
セグメントとは、市場の中で共通のニーズを持ち、アイテム（商品及びサービス）の認識の仕方・価値づけ・使用方法、購買に至るプロセス、すなわち購買行動において似通っている顧客層の集団のことと定義される。さらに、セグメントを発見するためには、意味のある市場を細分化するための軸の設定が必要になる。仮想店舗提供システム１では、意味のある市場を細分化するために設定した１以上の軸を使って、アイテムのセグメントを識別することにする。
【００４８】
仮想店舗提供システム１では、セグメントを識別するために、複数の軸を設定することができる。対比するセグメントが各軸上の占有範囲が相違すれば、両セグメントは、相違すると判断される。例えば、顧客層の集団を定義する軸として男子の年齢を設定する。第１セグメントが、該軸上の１０歳〜２０歳の範囲を占め、第２セグメントが該軸上の５０歳〜７０歳の範囲を占めていれば、第１セグメントと第２セグメントとは、該軸について相違するセグメントと判断される。また、第１セグメントが、該軸上の１０歳〜３０歳の範囲を占め、第２セグメントが該軸上の１５歳〜２０歳の範囲を占めていれば、第１セグメントと第２セグメントとは、該軸について部分的に重なったセグメントと判断される。
【００４９】
なお、仮想店舗提供システム１では、セグメントが各軸上で占める範囲は、数値で規定されるものに限定されない。会員アイテム２４のジャンル等の数値で規定されないものであってもよい。また、仮想店舗提供システム１では、セグメントを識別するための軸は、前述したように、複数（２以上、好ましくは３又は４以上）設定される。例えば、顧客に係る第１軸として男子の年齢を設定し、顧客に係る第２軸として地域（占有範囲が数値で規定されない軸の例）を設定する。第１セグメントが、第１軸上の３０歳〜４０歳の座標範囲を占め、第２セグメントが第１軸上の３０歳〜４０歳の座標範囲を占めていれば、第１軸については同一のセグメントとなる。一方、第１セグメントが、第２軸上の北海道３０を占め、第２セグメントが第２軸上の九州を占めていれば、第２軸については両者は異なるセグメントとなる。結局、対比するセグメントが少なくとも１つの軸上で相違すれば、両セグメントは、相違するセグメントとなる。
【００５０】
このように、仮想店舗提供システム１では、セグメントを識別する軸を適切に設定して、会員仮想店舗２３のセグメントを識別することができる。なお、各会員仮想店舗２３のセグメントを識別するとき、該会員仮想店舗２３の全部の会員アイテム２４が、同一のセグメントに属することを条件にする必要はない。所定の割合（例：９割）以上の会員アイテム２４が、同一のセグメントに属していれば、該セグメントを会員仮想店舗２３のセグメントであると判断することができる。該セグメントに属しない会員アイテム２４は、仮想店舗提供システム１において、例外の会員アイテム２４として処理される。
【００５１】
セグメント情報収集部１０４が実施するセグメント情報の収集は、具体的には、セグメント情報収集部１０４が会員１３に対して複数の質問項目について回答させるセグメント調査アンケートを実施することにより行われる。
【００５２】
質問項目として、例えば、ターゲット（＝閲覧者１７）とする顧客についての調査項目と、会員アイテム２４についての調査項目がある。前者の顧客については、性別（男女）、年代（例：１０代、２０代、・・・）、住所地域（例：北海道、九州、神奈川県、及び千葉市）、職業（例：学生）及び趣味（例：映画鑑賞、旅行、スポーツ及び釣り）等がある。後者の会員アイテム２４については、ジャンル（例：男子和服）及び値段範囲（例：１万円以下）等がある。
【００５３】
各会員仮想店舗２３のセグメントは、基本的には、セグメント調査アンケートにおけるターゲット（＝閲覧者１７）とする顧客についての調査項目に対する会員の回答に基づいて幾つかの軸（適宜、「基本の軸」という。）を決定し、該基本の軸に基づいて識別することができる。しかしながら、基本の軸に対して会員アイテム２４についての調査項目に対する会員の回答に基づいて軸（適宜、「追加の軸」という。）を決定し、各会員仮想店舗２３のセグメントを、基本の軸と以下の軸の両方に基づいて、又は、場合によっては、追加の軸だけに基づいて識別するようにしてもよい。
【００５４】
セグメント情報は、こうして決定されたセグメントを識別可能な情報を意味し、決定されたセグメントに基づいて生成される。
【００５５】
［会員アイテムの選択］
図４は、各会員１３が仮想店舗提供システム１から提供されたアプリを使って、自分の会員仮想店舗２３に掲載する会員アイテム２４を選択する作業についての説明図である。該アプリは、各会員１３が自分の会員仮想店舗２３の会員アイテム２４の選択する処理だけの専用アプリであってもよいし、統合アプリとしての会員サポートのアプリに一部の機能として含ませることもできる。
【００５６】
会員１３は、自分の情報機器（例：パソコン）において該アプリを起動させて、表示部に所定の画面としての図４に図示の会員アイテム選択画面２８を表示させる。
【００５７】
会員アイテム選択画面２８は、左の他人Ｗｅｂ部分３０ａと右の会員Ｗｅｂ部分３０ｂとを含む。図４の上段の会員アイテム選択画面２８と下段の会員アイテム選択画面２８とにおいて、右の会員Ｗｅｂ部分３０ｂは、共に自分の会員仮想店舗２３のＷｅｂ頁に対応している。一方、左の他人Ｗｅｂ部分３０ａは、上下の会員アイテム選択画面２８でそれぞれ異なる他人仮想店舗１９のＷｅｂ頁を表示している。両者の他人仮想店舗１９を区別するために、説明の便宜上、上段の会員アイテム選択画面２８の他人Ｗｅｂ部分３０ａの他人仮想店舗を符号「１９ａ」で示し、下段の会員アイテム選択画面２８の３０ａの他人仮想店舗を符号「１９ｂ」で示す。
【００５８】
他人仮想店舗１９ａの他人Ｗｅｂ部分３０ａには、他人販売アイテム２０ａ−１〜２０ａ−９が表示されている。他人仮想店舗１９ｂの他人Ｗｅｂ部分３０ａには、他人販売アイテム２０ｂ−１〜２０ｂ−１４が表示されている。他人販売アイテム２０ａ−１〜２０ａ−９及び他人販売アイテム２０ｂ−１〜２０ｂ−１４は、商品やサービス（例：宿泊施設やコンサートの予約又は交通の予約）のアイテムが何であるかが閲覧者１７に具体的に理解できる画像、アイコン又はテキストになっている。
【００５９】
会員１３は、他人仮想店舗１９ａにおいて、他人販売アイテム２０ａ−１〜２０ａ−９の中から自分の会員仮想店舗２３の会員アイテム２４−１，２４−２として他人販売アイテム２０ａ−２，２０ａ−９を選択する。会員１３は、また、他人仮想店舗１９ｂにおいて、他人販売アイテム２０ｂ−１〜２０ｂ−１４の中から自分の会員仮想店舗２３の会員アイテム２４−３として他人販売アイテム２０ｂ−１４を選択する。会員アイテム２４−１〜２４−３には、それぞれ他人販売アイテム２０ａ−２，２０ａ−９，２０ｂ−１４へのリンクアイテム情報が付けられている。
【００６０】
会員アイテム選択画面２８における会員１３による他人販売アイテム２０ａ−２，２０ａ−９，２０ｂ−１４の選択操作は、他人Ｗｅｂ部分３０ａから会員Ｗｅｂ部分３０ｂへの他人販売アイテム２０ａ−２，２０ａ−９，２０ｂ−１４のドラッグ・アンド・ドロップの操作で行われる。これにより、会員アイテム２４−１，２４−２，２４−３は、ハイパーリンク先の他人販売アイテム２０ａ−２，２０ａ−９，２０ｂ−１４と同一画像となる。
【００６１】
会員１３による閲覧者１７からの自分の会員仮想店舗２３の会員アイテム２４の選択が終了すると、アプリを終了する。会員アイテム２４の選択は、その後も、該アプリを再起動することにより、適宜、実行して、会員アイテム２４の追加が可能になっている。会員アイテム２４を削除するときは、削除対象の会員アイテム２４をドラッグ・アンド・ドロップで会員Ｗｅｂ部分３０ｂの内側から外側に移動することにより行われる。
【００６２】
前述のアプリは、会員１３が新規に会員アイテム２４を追加したとき、会員１３にアイテム選択理由アンケートを実施することができる。具体的には、リンクアイテム情報提供部１０６が該アイテム選択理由アンケートを実施する。リンクアイテム情報提供部１０６は、該アイテム選択理由アンケートに対する会員１３の回答に係る回答情報をＤ／Ｂ１０に蓄積する。
【００６３】
閲覧者１７は、会員仮想店舗２３のサブドメインを指定して、指定した会員仮想店舗２３における会員アイテム２４を閲覧する。そして、気に入った会員アイテム２４が見つかれば、カーソルを気に入った会員アイテム２４の上に移動してから、クリックやタップ等のハイパーリンクの使用操作を行う。これにより、該閲覧者１７の情報機器の表示部の画面が該会員仮想店舗２３のＷｅｂ頁からハイパーリンク先の他人販売アイテム２０が掲載されている他人仮想店舗１９のＷｅｂ頁に切り替わる。
【００６４】
セグメント情報提供部１０５は、各会員アイテム２４に対する閲覧者１７によるハイパーリンクの使用操作については、各会員仮想店舗２３の各会員アイテム２４ごとにハイパーリンクの操作履歴としてＤ／Ｂ１０に蓄積する。なお、操作履歴には、当然ながら、操作の日時が含まれている。
【００６５】
閲覧者１７は、ハイパーリンクによる移動後の他人仮想店舗１９のＷｅｂ頁において、ハイパーリンク先の他人販売アイテム２０について購入手続きを行う。購入手続きには、金銭の支払いや配送の手配等が含まれる。したがって、各会員仮想店舗２３は、ハイパーリンク付きの会員アイテム２４を掲載して、ハイパーリンク先の他人販売アイテム２０を紹介するのみで、会員１３は、閲覧者１７との煩雑な購入手続きを省略することができる。
【００６６】
こうして、会員１３は、自分の会員仮想店舗２３を開設及び運営するにあたり、資金と手間と倒産リスクを軽減できる。
【００６７】
広告代理店サーバ８は、広告代理店により管理され、Ｄ／Ｂ１０の操作履歴を定期的又は適宜、参照したり、自分のＤ／Ｂ（図示せず）にコピーしたりする。そして、操作履歴に基づいて他人仮想店舗１９の他人に広告料を金銭で徴収する。具体的には、該他人の他人仮想店舗１９の他人販売アイテム２０に対して、仮想店舗提供システム１の会員仮想店舗２３からのハイパーリンクの操作回数に応じた金銭を他人仮想店舗１９から徴収する。
【００６８】
広告代理店サーバ８は、他人仮想店舗１９から徴収した広告料を、仮想店舗提供システム１の提供者（オーナでもある。）と閲覧者１７によるハイパーリンク使用操作のあった会員仮想店舗２３の会員１３とに定期的又は適宜、分配する。その際、広告代理店サーバ８は、広告料に対して所定率の徴収手数料を受け取る。そして、残額が、仮想店舗提供システム１の提供者と会員１３とで所定の分配率で分配される。
【００６９】
［閲覧者のブラウザ画面］
図５は、仮想店舗提供システム１のポータルサイトの一例を示している。ポータルサイトのＷｅｂ頁３５は、前述のドメインのアドレスを有している。Ｗｅｂ頁３５には、「セグメントショッピングモール」のタイトル３６ａ、閲覧者１７が会員仮想店舗２３を検索する際のセグメント特化アイテムの関連語句を入力する自由テキスト入力覧３６ｂ、検索実行ボタン３６ｃ及び絞り込みボタン３６ｄが表示されている。
【００７０】
Ｗｅｂ頁３５には、さらに、複数の絞り込みボタン３６ｄが表示されている。この例では、閲覧者１７は、ドメイン内の会員仮想店舗２３をジャンル、地域、趣味及び人気順で絞り込んで、検索できるようにしている。これにより、閲覧者１７は、自分の希望するセグメントに特化した会員仮想店舗２３を円滑に検索できるようになっている。
【００７１】
Ｗｅｂ頁３５を訪れた閲覧者１７は、今回自分が探そうとしているセグメントに特化された又は絞り込まれた会員アイテム２４が掲載されている会員仮想店舗２３を検索しようとする。このとき、このポータルサイトでは、複数の検索方法が用意されている。
【００７２】
第１の検索方法は、Ｇｏｏｇｌｅ（登録商標）の検索ポータルと同じく、自由テキスト入力覧３６ｂに検索語を１語以上入力する方法である。入力する検索語は、閲覧者１７の自由である。例えば、検索語から直ちに対応するセグメントが認識できるアイテムの普通名称の検索語（例：紳士服、テレビ）に限定されず、セグメントのコアの概念がおおよそ理解できる検索語（例：「女子高校生」、「６０歳」、「新宿」及び「南洋の島」）を閲覧者１７は自由テキスト入力覧３６ｂに自由に入力することができる。閲覧者１７は、自由テキスト入力覧３６ｂの検索語を入力した後、検索実行ボタン３６ｃをクリックする。
【００７３】
セグメント情報提供部１０５は、検索実行ボタン３６ｃがクリックされると、各会員１３が自由テキスト入力覧３６ｂに入力した検索語に一致性の高い会員仮想店舗２３を検索する。そして、検索結果画面（図示せず）として閲覧者１７のブラウザに、該当する会員仮想店舗２３を検索語との一致性の高い順でリスト表示する。一致性の高さは、ＳＴＥＰ２０６で会員１３に対して実施したセグメント調査アンケートに対する会員１３の回答情報に基づいて判断する。セグメント情報は、該回答情報に基づいて生成され、Ｄ／Ｂ１０にストアされている。
【００７４】
なお、各会員１３に対して実施した前述のセグメント調査アンケートには、会員１３に複数の選択肢から１つを選択させる質問項目（例：性別）以外に、会員１３に、一言か二言でセグメントの概念に対応する語句を回答させる項目を用意することができる。その場合には、会員１３は、例えば、自分の会員仮想店舗２３のテーマのような語句として、「女子高校生」、「６０歳」、「新宿」、「南洋の島」を回答することができる。
【００７５】
すなわち、仮想店舗提供システム１では、テーマも、会員仮想店舗２３のセグメントを識別するときの前述の軸として使用することもできる。テーマの軸として、具体的には、「女子高校生」、「６０歳」、「新宿」及び「南洋の島」に対して、それぞれ職業の軸、年齢の軸、地域の軸、及び旅行先の軸を設定することができる。
【００７６】
第２の検索方法は、複数の絞り込みボタン３６ｄの中から１つを選択するものである。絞り込みボタン３６ｄには、ジャンル、地域、趣味又は人気順で、検索範囲を絞り込めるようになっている。
【００７７】
図６は、閲覧者１７が絞り込みボタン３６ｄで所望の会員仮想店舗２３を検索しようとするときに利用されるブラウザ画面３９を示している。ここでは、閲覧者１７は、図５の絞り込みボタン３６ｄのうちの趣味を選択したと、仮定する。これに伴い、趣味のリストが表示され、ブラウザ画面３９は、閲覧者１７が趣味のリストからスポーツを選択したときの画面を示している。
【００７８】
ブラウザ画面３９は、１つの軸としてのスポーツのジャンルをさらに横の軸と縦の軸とに区分けして、スポーツのジャンルの会員アイテム２４が属するセグメントを特定する画面となっている。横の軸は、例えば、スポーツの大ジャンルに属する小ジャンルのスポーツ分類としての陸上競技、球技スポーツ（例：サッカー及び野球）及び体操等を区分けする軸である。縦の軸は、例えば、スポーツの大ジャンルに属する別の小ジャンルとしてのスポーツ道具（例：ボール、バット、シューズ及び衣服）を区分けする軸である。各マーク（白丸）は、各会員アイテム２４が横の軸及び縦の軸の占める範囲に中心に表示される。
【００７９】
閲覧者１７は、図６のブラウザ画面３９から自分の好みに対応する範囲を、ブラウザ画面３９上にマウスで囲い線４１を引いて、指定する。囲い線４１の内側には、ｇｓ１〜ｇｓ３の３つのマーク（各マークは会員仮想店舗２３に対応する。）が含まれている。閲覧者１７は、囲い線４１を引いた後、囲い線４１内の箇所をクリック又はタップする。すると、ブラウザ画面３９は、図６の上段のブラウザ画面３９から下段のブラウザ画面３９に変化する。
【００８０】
下段のブラウザ画面３９では、囲い線４１内のｇｓ１〜ｇｓ３の情報が表形式で表示される。該表のＮｏ．の列のｇｓ１〜ｇｓ３には、ハイパーリンクが付けてあり、閲覧者１７は、ｇｓ１〜ｇｓ３の中から所望のものをクリック又はタップ（以下、「クリック等」という。）すると、対応する会員仮想店舗２３のＷｅｂ頁に切り替わる。
【００８１】
また、ｇｓ１〜ｇｓ３のオーナ情報をクリック等すると、対応する会員１３の会員情報（オーナ情報）のブラウザ画面３９に切り替わる。さらに、セグメント情報のＳｅＩｎ１〜ＳｅＩｎ３のテキストをクリック等すると、対応するセグメント情報がブラウザ画面３９に表示される。
【００８２】
閲覧者１７は、オーナ情報やセグメント情報を参照して、自分の希望に合致する会員仮想店舗２３を検索することができる。なお、閲覧者１７がブラウザ画面３９において参照できるセグメント情報は、各会員１３による前述のセグメント調査アンケートに対する回答そのもの又は該回答をユーザフレンドリに加工したものである。
【００８３】
ブラウザ画面３９には、移動ボタン４０が用意されている。図６に図示されている移動ボタン４０のうち、「Ｈｏｍｅ」を閲覧者１７がクリック等すると、図５のＷｅｂ頁３５が表示される。「次」がクリック等されると、図６の上側のブラウザ画面３９から下側のブラウザ画面３９に切り替えられる。「戻る」がクリック等されると、図６の下側のブラウザ画面３９から上側のブラウザ画面３９に切り替えられる。
【００８４】
図７は、会員仮想店舗２３のＷｅｂ頁の一例を示している。会員仮想店舗２３のＷｅｂ頁は、ブラウザ画面３９として閲覧者１７の情報機器の表示部に表示される。ブラウザ画面３９には、移動ボタン４０、仮想店舗名４５ａ、タグ４５ｂ及びアイテム表示欄４５ｃが含まれる。このブラウザ画面３９では、前頁に移動するときは、移動ボタン４０ではなく、例えばブラウザの上端に表示される「バック」のアイコンやメニュー等（図示せず）が使用される。
【００８５】
ここでは、仮想店舗名４５ａは、「弁理士  山田太郎のお店」となっている。タグ４５ｂは、推薦本や推薦記事等のタグになっている。アイテム表示欄４５ｃは、選択されているタグ４５ｂに属する会員アイテム２４が表示される。図７の例では、上側のブラウザ画面３９では、タグ４５ｂとして「推薦本」が選択され、下側のブラウザ画面３９では、タグ４５ｂとして、ブログが選択されている。
【００８６】
ブログは、会員仮想店舗２３のオーナとしての会員１３が、閲覧者１７とのつながりを深めるために、該会員仮想店舗２３に会員アイテム２４の掲載とは別に掲載するものである。図７のブログは、文字のみで記載されているが、適宜、写真画像を加えて、会員１３から閲覧者１７への情報発信の一例として使用し、会員仮想店舗２３の魅力を増大することができる。
【００８７】
閲覧者１７は、所望のタグ４５ｂをクリック等することによりアイテム表示欄４５ｃの表示が切替えられる。図７の上段のブラウザ画面３９では、アイテム表示欄４５ｃとして推薦本が選択されている。該上段のブラウザ画面３９において、移動ボタン４０がクリック等されると、ブラウザ画面３９は、上段のものから下段のものへ又はその逆に切り替わる。この例では、ブラウザ画面３９全体ではなく、ブラウザ画面３９のうちのアイテム表示欄４５ｃが切り替わる。下段のブラウザ画面３９では、アイテム表示欄４５ｃとしてブログが選択されている。
【００８８】
閲覧者１７は、ブラウザ画面３９において所望の会員アイテム２４をクリック等すると、クリック等した会員アイテム２４にハイパーリンク付けされている他人販売アイテム２０が掲載されている他人仮想店舗１９のＷｅｂ頁に画面が切り替わる。閲覧者１７が、会員仮想店舗２３に掲載されている会員アイテム２４を購入するときや、一層の興味を抱いたときは、該会員アイテム２４をクリック等して、ハイパーリンクを起動する。この結果、閲覧者１７は、ハイパーリンク先の他人販売アイテム２０のＷｅｂ頁に移動して、該他人販売アイテム２０について購入手続きや、該他人販売アイテム２０が掲載されている他人仮想店舗１９でその他の他人販売アイテム２０（会員仮想店舗２３の会員アイテム２４とはハイパーリンク付けされていないアイテム）を閲覧する。
【００８９】
会員１３は、会員仮想店舗２３の各会員アイテム２４に対して閲覧者１７に注釈等のテキストを添えることができる。注釈として、会員１３がこの会員アイテム２４を選択した理由等を記載する。このような注釈は、閲覧者１７が各会員アイテム２４を深く知る手掛かりにすることができる。
【００９０】
［セグメント情報］
図８は、セグメント情報に含まれる会員アイテム２４の重複数についての説明図である。複数の会員仮想店舗２３において、同一の会員アイテム２４が各会員１３によって選択され、掲載されることがある。同一の会員アイテム２４を掲載する会員仮想店舗２３が多いことは、各会員仮想店舗２３同士のセグメントが類似することを意味する。
【００９１】
各会員１３は、自分の会員仮想店舗２３のセグメントが他の会員１３の会員仮想店舗２３のセグメントとの重複を極力避けることにより、すなわちセグメントの独自性により自分の会員仮想店舗２３を他の会員１３の会員仮想店舗２３との差別化を図って、閲覧者１７に対する自分の会員仮想店舗２３の魅力を高めることができる。
【００９２】
セグメント情報収集部１０４は、会員仮想店舗２３間で会員アイテム２４が重複しているときに、重複している会員仮想店舗２３の個数を調査する。セグメント情報は、該個数に基づいて生成された情報を含む。
【００９３】
セグメント情報提供部１０５は、セグメント情報提供部を含み、該セグメント情報提供部は、会員１３からセグメント情報の提供要求を受け付けると、該会員１３の会員仮想店舗２３で掲載している各会員アイテム２４について同一の会員アイテム２４を掲載している他の会員１３の会員仮想店舗２３の個数を調査する。該個数は、重複数として該会員１３（≠他の会員１３）も１つとして計数されている。図８は、その調査結果であり、セグメント情報提供部１０５に要求を出した会員１３の情報機器のブラウザ又は会員サポートのアプリの画面にセグメント情報の１つとして表示される。
【００９４】
図８において、横軸は、セグメント情報提供部１０５に対して重複数の提供の要求を出した会員１３の会員仮想店舗２３に掲載される会員アイテム２４を人気順に並べている。図８の例では、該会員１３の会員仮想店舗２３では、会員アイテムについて、人気順が、会員アイテム２４−５，２４−９，２４−１，２４−８，２４−３，２４−２になっている。
【００９５】
人気順とは、具体的には、該会員１３の会員仮想店舗２３において、閲覧者１７による各会員アイテム２４に対するクリック等の回数（ハイパーリンクの使用操作の回数）の多い順である。クリック等の回数は、典型的には、直近の所定期間である。しかしながら、会員１３は、クリック等の回数の多い順について任意の所定期間を指定することができるようになっていてもよい。
【００９６】
図８では、重複する会員仮想店舗２３の個数を単一の会員アイテム２４ごとに調査しているが、複数の会員アイテム２４の組み合わせを幾つか選択し、各組み合わせを単位に、重複数を表示することも可能である。
【００９７】
図９は、セグメント情報のレーダチャートである。該レーダチャートは、会員１３の会員仮想店舗２３における各会員アイテム２４と、同一の会員アイテム２４を掲載する他の会員１３−１，１３−２の会員仮想店舗２３があったとき、両者のセグメントを識別する有益なセグメント情報となる。該レーダチャートにおいて半径軸は、閲覧者１７のクリック回数（タップ回数も含む。）である。図９の会員アイテム２４−１〜２４−５は、該会員１３（図９の「あなた」）において、該会員１３の会員仮想店舗２３に掲載されている会員アイテムのうち他の会員１３−１，１３−２の会員仮想店舗２３の会員アイテム２４と重複するもののみが抽出されている。
【００９８】
図９のレーダチャートのセグメント情報から、各会員１３は、自分の会員アイテムのうち他の会員１３−１又は１３−２の会員アイテムと重複する会員アイテム２４−１〜２４−５について、閲覧者１７により自分の会員仮想店舗２３と他の会員１３−１，１３−２の会員仮想店舗２３とで、どちらが多くクリック等されているかを該レーダチャートから知得できる。すなわち、該レーダチャートは、会員仮想店舗２３間で重複している会員アイテム２４−１〜２４−５を、会員仮想店舗２３間のクリック回数で重み付けしたセグメント情報を示している。こうして、各会員１３は、会員仮想店舗２３間のクリック回数で重み付けされた会員アイテム２４−１〜２４−５についてのセグメント情報を知得して、自分の会員仮想店舗２３の一層のセグメント化を図ることができる。
【００９９】
図９のレーダチャートでは、個々の会員アイテム２４−１〜２４−５に対する重み付け（例：操作履歴としてのクリック回数）が示されている。しかしながら、個々の会員アイテム２４−１〜２４−５に代えて、会員アイテム２４−１〜２４−５の中から複数の会員アイテムの組合せを設定することもできる。そして、該組合せごとにクリック回数の合計数を示したレーダチャートを会員１３に提示することもできる。
【０１００】
［リンクアイテム情報］
図１０は、リンクアイテム情報提供部１０６が他人仮想店舗１９の他人に提供するリンクアイテム情報の説明図である。他人仮想店舗１９の他人は、自分の販売アイテムがどのような人に関心をもたれているかを知得できれば、自分の販売アイテム（＝他人販売アイテム２０）の販売戦略や新規開発商品の戦略に役立てることができる。他人販売アイテム２０を販売する他人にとり、他人販売アイテム２０を購入した人の個人情報は、有益な情報である。個人情報に基づいて、自分の販売アイテムに興味や関心を持ってくれる人やグループは、こんな人たちなのかを再確認したり、又は意図していなかった個人やグループが自分の販売アイテムに関心をもっていることを知るができるからである。
【０１０１】
一方、他人販売アイテム２０を販売する他人が、閲覧者１７の個人情報を取得することは厳しい。なぜなら、閲覧者１７は、自分の個人情報を人には知られることを嫌がったり、販売アイテムを購入するごとに、所定のアンケートに回答するのを煩雑と感じるからである。
【０１０２】
仮想店舗提供システム１は、このような問題を克服する。仮想店舗提供システム１は、会員１３の入会時の会員情報（個人情報を含む）や、会員１３が会員アイテム２４を選択した時に実施したアイテム選択理由アンケートに対する回答情報に着目する。そして、他人仮想店舗１９の他人に対して、他人仮想店舗１９の他人販売アイテム２０を選択した会員１３の会員情報や回答情報に基づいて生成したリンクアイテム情報を提供する。
【０１０３】
図１０において、上側の表における他人販売アイテム２０−１〜２０−５は、図１０のリンクアイテム情報を提供する他人の他人仮想店舗１９に掲載している他人販売アイテム２０である。下側の表における会員１３−２０，１３−２９，１３−３０，１３−５０，１３−９９は、該他人が、上側の表における他人販売アイテム２０１をクリック等した時の切り替わり後のブラウザ画面３９である。
【０１０４】
他人販売アイテム２０−１〜２０−５の各々に対して、仮想店舗提供システム１において会員アイテム２４として選択している会員１３の会員数が表示される。さらに、閲覧者１７によるクリック回数が表示される。なお、図１０の上側の表におけるクリック回数とは、厳密にはクリックやタップのクリップ等の回数（ハイパーリンクの使用操作回数）である。また、該クリック回数とは、各会員仮想店舗のクリック回数ではなく、仮想店舗提供システム１全体におけるクリック回数である。閲覧者１７によるクリック回数は、直近の所定期間とか、過去の所定期間とかのクリック回数とされる。
【０１０５】
図１０の下側の表では、該他人の他人販売アイテム２０−１を会員アイテム２４としている会員１３が相互に識別自在に表示される。そして、会員１３ごとに他人仮想店舗１９１に対する閲覧者１７によるクリック回数が表示される。該他人は、図１０の下側の表の所望の会員１３をクリックすると、該会員１３についてリンクアイテム情報がブラウザ画面３９に表示されて、リンクアイテム情報の提供を受ける。
【０１０６】
［変形例］
特典付与部１０３が会員１３に付与する特典は、金銭に限定されない。インターネット４上の他の仮想店舗や現実の店舗で商品やサービスと交換可能な引換券（ネット上でのみ使用可能な仮想引換券を含む。）であってもよい。さらに、交換可能ではなく、割引や優待を受けられるクーポンであってもよい。
【０１０７】
ＳＴＥＰ２０２で説明した会員情報（個人情報を含む）は、一例である。例えば、該一例に含まれる収入は、省略されたり、具体的な数値でなく、非常におおまかな段階的なものであってもよい。
【０１０８】
仮想店舗提供システム１の責任者は、会員１３がうその会員情報を申告したり、入会後に好ましくない言動等があったとき、退会等の処罰を与えることができる。
【０１０９】
会員１３は、自分の会員アイテム２４として、商品の会員アイテム２４と、サービスの会員アイテム２４とを混在させることができる。Ａｍａｚｏｎ（登録商標）等の仮想店舗では、世の中に存在する全部の商品及びサービスのアイテムの量的拡大を目指している。これに対し、会員１３は、自分の会員仮想店舗２３を特定のセグメントに特化し、閲覧者１７が、各セグメントで自分に合ったアイテムを効率的に見い出せるようにすることを目指すことになる。
【符号の説明】
【０１１０】
１・・・仮想店舗提供システム、４・・・インターネット、１０・・・Ｄ／Ｂ、１３・・・会員、１７・・・閲覧者、１９・・・他人仮想店舗、２０・・・他人販売アイテム、２３・・・会員仮想店舗、２４・・・会員アイテム、１０１・・・アドレス付与部、１０２・・・会員アイテム掲載部、１０３・・・特典付与部、１０４・・・セグメント情報収集部、１０５・・・セグメント情報提供部、１０６・・・リンクアイテム情報提供部。
【図１】
2020053961.tif 000003
【図２】
2020053961.tif 000004
【図３】
2020053961.tif 000005
【図４】
2020053961.tif 000006
【図５】
2020053961.tif 000007
【図６】
2020053961.tif 000008
【図７】
2020053961.tif 000009
【図８】
2020053961.tif 000010
【図９】
2020053961.tif 000011
【図１０】
2020053961.tif 000012
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
各会員に対し該会員の仮想店舗のＷｅｂアドレスを付与するアドレス付与部と、
各会員が、インターネット上の他人仮想店舗で掲載されて販売されている他人販売アイテムのうちから選択し、該選択した他人販売アイテムへのハイパーリンク付きの会員アイテムとして該会員の前記仮想店舗に掲載する会員アイテム掲載部と、
各会員の会員アイテムごとに、閲覧者によるハイパーリンクの操作履歴を蓄積する操作履歴データベースと、
前記操作履歴データベースにおける前記操作履歴に基づいて各会員に特典を付与する特典付与部と、
各会員の会員情報を蓄積する会員情報データベースと、
各会員が前記他人販売アイテムを自分の前記会員アイテムとして選択したとき、該会員に対してアイテム選択アンケートを実施し、該アイテム選択アンケートに対する回答に係るアイテム選択情報を蓄積するアイテム選択情報データベースと、
前記他人販売アイテムを販売している各他人に対し、該他人販売アイテムを前記会員アイテムとしている各会員の会員情報と、前記閲覧者の操作履歴に含まれる該会員アイテムに対する前記閲覧者による操作回数に係る情報と、該他人販売アイテムに対する該会員の前記アイテム選択情報と、を含むリンクアイテム情報を提供するリンクアイテム情報提供部と、
を備えることを特徴とする仮想店舗提供システム。
【請求項２】
請求項１に記載の仮想店舗提供システムにおいて、
前記会員情報データベースが蓄積する会員情報には、各会員の仮想店舗のＷｅｂアドレスを含み、
前記リンクアイテム情報提供部が前記他人に対して提供する前記リンクアイテム情報には、前記Ｗｅｂアドレスが含まれていることを特徴とする仮想店舗提供システム。
【請求項３】
請求項１又は２に記載の仮想店舗提供システムにおいて、
各会員の前記仮想店舗の前記会員アイテムがどのセグメントに特化されているのかを示すセグメント情報を収集するセグメント情報収集部と、
前記セグメント情報収集部が収集した前記セグメント情報を所定の要求者からの要求に応じて提供するセグメント情報提供部と、
を備えることを特徴とする仮想店舗提供システム。
【請求項４】
請求項３に記載の仮想店舗提供システムにおいて、
前記セグメント情報は、前記会員に対し、セグメント調査アンケートを実施し、該セグメント調査アンケートに対して収集した回答に基づいて生成されたものであることを特徴とする仮想店舗提供システム。
【請求項５】
請求項３又は４に記載の仮想店舗提供システムにおいて、
前記セグメント情報は、複数の前記仮想店舗間で重複する前記会員アイテムの重複数を収集し、収集した前記重複数に基づいて生成されたものであることを特徴とする仮想店舗提供システム。
【請求項６】
請求項５に記載の仮想店舗提供システムにおいて、
前記重複数は、所定の複数の前記会員アイテムの組合せについての重複数であることを特徴とする仮想店舗提供システム。
【請求項７】
請求項５又は６に記載の仮想店舗提供システムにおいて、
前記セグメント情報は、前記重複数が、重複している前記会員アイテムに対する前記操作履歴に基づいて重み付けされた情報を含むことを特徴とする仮想店舗提供システム。
【請求項８】
請求項３〜７のいずれか１項に記載の仮想店舗提供システムおいて、
前記所定の要求者は、前記閲覧者を含むことを特徴とする仮想店舗提供システム。
【請求項９】
請求項３〜８のいずれか１項に記載の仮想店舗提供システムにおいて、
前記所定の要求者は、前記会員を含むことを特徴とする仮想店舗提供システム。
【国際調査報告】
2020053961.tif 000013
2020053961.tif 000014
2020053961.tif 000015
2020053961.tif 000016